(57)【要約】【課題】吸収性コア全体を使用した効率のよい吸収を実現し、且つ、体液の漏れを抑制することができる吸収性物品を提供する。。【解決手段】互いに直交する長手方向と幅方向と厚さ方向とを有し、吸収体を備える吸収性物品であって、前記吸収体は、吸収性材料を含んで構成される吸収性コアと、前記吸収性コアの肌当接面側を覆う上層コアラップシートおよび前記吸収性コアの肌非当接面側を覆う下層コアラップシートを含む少なくとも２枚以上で構成されるコアラップシートと、を備え、前記吸収性コアの対向する前記幅方向の両側端部において前記上層コアラップシートを肌非当接面側に折り返し、前記折り返し部分が前記吸収性コアの肌非当接面側と接合しており、前記下層コアラップシートは、前記折り返し部分において前記上層コアラップシートよりも肌非当接面側に設けられている。【選択図】図４
2019165886.tif 000002
【特許請求の範囲】
【請求項１】
互いに直交する長手方向と幅方向と厚さ方向とを有し、吸収体を備える吸収性物品であって、
前記吸収体は、吸収性材料を含んで構成される吸収性コアと、前記吸収性コアの肌当接面側を覆う上層コアラップシートおよび前記吸収性コアの肌非当接面側を覆う下層コアラップシートを含む少なくとも２枚以上で構成されるコアラップシートと、を備え、
前記吸収性コアの対向する前記幅方向の両側端部において前記上層コアラップシートを肌非当接面側に折り返し、前記折り返し部分が前記吸収性コアの肌非当接面側と接合しており、
前記下層コアラップシートは、前記折り返し部分において前記上層コアラップシートよりも肌非当接面側に設けられていることを特徴とする吸収性物品。
【請求項２】
前記上層コアラップシートは、親水性を有し、
前記下層コアラップシートの親水性は、前記上層コアラップシートよりも低いことを特徴とする請求項１に記載の吸収性物品。
【請求項３】
前記下層コアラップシートは、前記上層コアラップシートを覆うように配置され、前記吸収性コアの対向する前記幅方向の両側端部において前記下層コアラップシートを肌当接面側に折り返し、前記折り返し部分が前記上層コアラップシートの肌当接面側と接合することで接合部が形成されていることを特徴とする請求項１または請求項２に記載の吸収性物品。
【請求項４】
前記接合部は、前記長手方向において間欠的に配置されていることを特徴とする請求項３に記載の吸収性物品。
【請求項５】
複数の前記接合部は、細長い形状をそれぞれ呈しており、
前記コアラップシートには、複数の前記細長い形状がその先端が前記吸収体の中心に向かうように斜めに配置される、第１パターンが形成され、
前記第１パターンは、前記吸収体の前記長手方向に延びる第１中心線に対して線対称となっており、且つ、前記複数の前記細長い形状は、前記第１中心線および前記幅方向に延びる第２中心線によって区画された４つの領域において、それぞれ互いに平行に配置されていることを特徴とする請求項４に記載の吸収性物品。
【請求項６】
複数の前記接合部は、２つの斜辺が底辺より長い細長の略二等辺三角形の形状をそれぞれ呈しており、
前記コアラップシートには、前記三角形の頂点が前記吸収体の前記長手方向に延びる第１中心線に向かって配置されており、且つ、複数の前記接合部が前記吸収体の前記長手方向において等間隔で配置されている第２パターンが形成され、
前記第２パターンは、前記第１中心線に対して線対称となっていることを特徴とする請求項４に記載の吸収性物品。
【発明の詳細な説明】
【技術分野】
【０００１】
本発明は、排出された体液の漏れを抑制するための吸収性物品に関する。
【背景技術】
【０００２】
従来、排出された体液（以下、単に「体液」とも言う）を吸収体に誘導して吸収させる使い捨ておむつ（以下、単に「おむつ」とも言う）等の吸収性物品が広く知られている。吸収体は、主にパルプと高吸水性樹脂（Ｓｕｐｅｒ  Ａｂｓｏｒｂｅｎｔ  Ｐｏｌｙｍｅｒ、以下「ＳＡＰ」とも言う）とからなる吸収性コアを、ティシュや不織布等のコアラップシートによって包んだものである。コアラップシートは、粉状のＳＡＰが外部に漏れないようにしたり、吸収性コアの型崩れを抑制したりする機能を有する一方、さらなる機能をコアラップシートに付加しようとする試みが進められている。
【０００３】
例えば、特許文献１には、吸収性コアを挟む上層コアラップシートおよび下層コアラップシートについて、上層コアラップシートを親水性、下層コアラップシートを疎水性にすることによって、コアラップシートの肌非当接面側の液止め効果を図った吸収性物品が開示されている。
【先行技術文献】
【特許文献】
【０００４】
【特許文献１】特開２０１４−０８３１７０号公報
【発明の概要】
【発明が解決しようとする課題】
【０００５】
しかしながら、特許文献１に記載の吸収性物品では、上層コアラップシートを浸透してきた体液を、吸収性コアの肌非当接面側にうまく誘導することができない可能性があるため、吸収性コア全体を使用した効率のよい吸収が実現できないおそれがあった。
【０００６】
本発明の目的は、吸収性コア全体を使用した効率のよい吸収を実現し、且つ、体液の漏れを抑制することができる吸収性物品を提供することにある。
【課題を解決するための手段】
【０００７】
本発明による吸収性物品は、互いに直交する長手方向と幅方向と厚さ方向とを有し、吸収体を備える吸収性物品であって、前記吸収体は、吸収性材料を含んで構成される吸収性コアと、前記吸収性コアの肌当接面側を覆う上層コアラップシートおよび前記吸収性コアの肌非当接面側を覆う下層コアラップシートを含む少なくとも２枚以上で構成されるコアラップシートと、を備え、前記吸収性コアの対向する前記幅方向の両側端部において前記上層コアラップシートを肌非当接面側に折り返し、前記折り返し部分が前記吸収性コアの肌非当接面側と接合しており、前記下層コアラップシートは、前記折り返し部分において前記上層コアラップシートよりも肌非当接面側に設けられていることを特徴とするものである。
【発明の効果】
【０００８】
本発明によれば、上層コアラップシートに浸透してきた体液を、上層コアラップシートの当該折り返した部分を介して、吸収性コアの肌非当接面側に誘導させることができるので、吸収性コア全体を使用した効率のよい吸収を実現することが可能となり、ひいては、体液の漏れを抑制することが可能となる。
【図面の簡単な説明】
【０００９】
【図１】本発明の第１実施形態に係るおむつの一例の外観において、正面側から見た斜視図である。
【図２】図１に示すおむつの分解斜視図である。
【図３】本発明の第１実施形態に係る、伸張状態のおむつをトップシート側から見た平面図である。
【図４】本発明の第１実施形態に係る、吸収体をトップシート側から見た平面図である。
【図５】図３におけるＶ−Ｖ方向断面図である。
【図６】本発明の第２実施形態に係る、吸収体をトップシート側から見た平面図である。
【図７】本発明の第３実施形態に係る、吸収体をトップシート側から見た平面図である。
【発明を実施するための形態】
【００１０】
本発明による吸収性物品の実施形態について、図１から図７を参照しながら詳細に説明する。ただし、本発明は本実施形態の態様に限定されるものではない。なお、特許請求の範囲、明細書または図面において、吸収性物品の着用者の腹側から股下を介して背側に亘る方向を長手方向とし、当該長手方向と直交する方向を幅方向とし、吸収性物品の表面又は裏面の法線方向を厚さ方向とする。これら長手方向、幅方向、および厚さ方向は互いに直交する。本発明に係る吸収性物品は、当該長手方向、当該幅方向、および当該厚さ方向を有するものである。
【００１１】
先ず、本発明を展開型使い捨ておむつに応用した第１実施形態を以下に説明する。
【００１２】
＜第１実施形態＞  
＜おむつの主な構成＞  
図１に本発明の第１実施形態に係るおむつの一例の外観において、正面側から見た斜視図を示す。本実施形態に係るおむつ１０は、展開型使い捨ておむつであり、前身頃領域１０Ｆと、後身頃領域１０Ｒと、これら前身頃領域１０Ｆおよび後身頃領域１０Ｒをつなぐ股下領域１０Ｃとを有する。また、着用時に前身頃領域１０Ｆと後身頃領域１０Ｒとで着用者のウエストの部分を取り囲むウエスト周り開口部１０Ｗが形成されている。同様に、前身頃領域１０Ｆおよび後身頃領域１０Ｒの下端部と股下領域１０Ｃとで着用者の両脚の太股部分を取り囲む左右一対の脚周り開口部１０Ｌが形成されている。
【００１３】
着用時に前身頃領域１０Ｆは、着用者の腹側に位置し、後身頃領域１０Ｒは着用者の背側に位置する。そして、着用時に股下領域１０Ｃは、着用者の股下を覆い、左右一対の脚周り開口部１０Ｌに、着用者の脚がそれぞれ通された形となる。したがって、脚周り開口部１０Ｌは、着用者の両脚の付け根から太股あたりのいずれかに位置することとなる。
【００１４】
仮想線Ｐは、おむつ中央部において腹側から背側に向かって、股下部分を通って延びるものである。具体的には、仮想線Ｐは、例えば、おむつのウエスト側を上、股下側を下として定義すると、おむつ表面に沿って、かつ上下方向に延びると共に、股下部分を経由して、背側においても上下方向に延びるものである。
【００１５】
おむつ１０の外側に位置するカバーシート１１の後身頃領域１０Ｒの左右両端縁部には、着用時に前身頃領域１０Ｆの左右両端縁部に重ね合わせてこれらをつなぎ、脚周り開口部１０Ｌを形成し得る左右一対のファスニングテープ１０Ａが接着されている。このファスニングテープ１０Ａは、前身頃領域１０Ｆのカバーシート１１上に接着されたフロントパッチシート１０Ｂに対して繰り返し剥離可能に接合される。
【００１６】
図２は、図１に示すおむつ１０の模式的な分解斜視図であり、図３は、本発明の一実施形態に係る、伸張状態のおむつ１０をトップシート１４側から見た平面図である。図２の吸収体１３および図３のおむつ１０については、説明の便宜上、部分的に破断した状態をそれぞれ示している。
【００１７】
図２に示すように、本実施形態におけるおむつ１０は、外側から順に、良好な手触りを得るために薄い不織布にて形成されるカバーシート１１と、液不透過性を有するバックシート（裏面シート）１２と、吸収体１３と、液透過性を有するトップシート（表面シート）１４と、一対のサイドシート１５と、を重ねた積層構造を有しているものである。
【００１８】
カバーシート１１の股下領域１０Ｃの左右両側には、それぞれ脚周り開口部１０Ｌとなる一対の切欠き部１１Ｎが形成されている。カバーシート１１と一対のサイドシート１５との間には、脚周りギャザーを形成するための一対の糸ゴム１６がそれぞれ伸張状態で接着されている。
【００１９】
トップシート１４は、液透過性を有する不織布などで構成される。バックシート１２は、カバーシート１１に接合され、吸収体１３は、このバックシート１２とトップシート１４との間に配置され、この吸収体１３を介してトップシート１４がバックシート１２に接合される。すなわち、本実施形態のおむつ１０では、吸収体１３の肌当接面側がトップシート１４で覆われ、吸収体１３の肌非当接側がバックシート１２で覆われている。また、バックシート１２のうち、後身頃領域１０Ｒの上端部に対応する領域には、バックシート１２の幅方向に沿って延び、着用者に対してウエスト周りに適度な着用感を与えるための弾性シート１０Ｄが接合されている。
【００２０】
トップシート１４の下に位置する本実施形態の吸収体１３は、主にパルプや液体を吸収することで膨潤するＳＡＰなどの吸収性材料を含んで構成される吸収性コア１７を、ティシュや不織布等のコアラップシート１８によって包み込んだものである。コアラップシート１８は、図２や後述の図５に示すように、吸収性コア１７を上下から挟んで包み込んでいる上層コアラップシート１８ａおよび下層コアラップシート１８ｂを含んで構成されている。本実施形態では、コアラップシート１８は２枚構成になっているが、本発明では、コアラップシートは３枚以上の構成であってもよい。また、上層コアラップシート１８ａは、一体構成でもよく複数枚で構成されていてもよい。
【００２１】
上層コアラップシート１８ａは、親水性を有している。ここで、「親水性」とは、液体面が固体面と成す接触角が小さい性質をいい、一般に、９０°より小さいものをいう。例えば、上層コアラップシート１８ａおよび下層コアラップシート１８ｂに、親水化処理を施すことにより、所望の親水性を与えることができる。一方、「疎水性」とは、液体面が固体面と成す接触角が大きい性質をいい、一般に、９０°より大きいものをいう。本実施形態では、下層コアラップシート１８ｂの親水性は、上層コアラップシート１８ａよりも低くなっている。この構成により、排出された体液が、親水性を有する肌当接側の上層コアラップシート１８ａに浸透して、吸収性コア１７へ迅速に誘導される一方、吸収性コア１７において吸収し切れなかった体液が、肌非当接側の下層コアラップシート１８ｂにおいて必要以上に拡散して、ウェットバック等の漏れを生じさせることを抑制することが可能となる。本発明では、下層コアラップシート１８ｂは、疎水性であってもよい。
【００２２】
本実施形態では、詳細は後述するが、吸収性コア１７の対向する幅方向の両側端部において上層コアラップシート１８ａを肌非当接面側に折り返し、当該折り返し部分が吸収性コア１７の肌非当接面側と接合しており、下層コアラップシート１８ｂは、折り返し部分において上層コアラップシート１８ａよりも肌非当接面側に設けられている（後述の図５を参照）。この構成により、体液を上層コアラップシート１８ａの当該折り返した部分を介して、吸収性コア１７の肌非当接面側に誘導させることができる。
【００２３】
本実施形態の吸収体１３は、後述の図４に示すように、後身頃部分Ｍ１、股下部分Ｍ２、前身頃部分Ｍ３に三区分されている。そして、吸収性コア１７の股下部分Ｍ２に対応する部分には、一対の脚周り開口部１０Ｌに対応するように、円弧状をなす一対の切欠き部１７Ｎが形成されている。その結果、吸収性コア１７は、砂時計形状を呈している。本発明では、吸収性コア１７の形状は、これに限られず、前身頃、股下、後身頃に亘るように、長手方向において細長い形状であってもよいし、長手方向と幅方向における長さが同程度の略正方形のもの、長手方向の端の角が丸く落とされているもの、長手方向に延びる楕円形のもの、円形のもの等、さまざまな形状であってもよい。
【００２４】
本実施形態におけるトップシート１４の幅方向の左右両側縁部には、立体ギャザーを形成する疎水性の一対のサイドシート１５が備えられている。一対のサイドシート１５は、着用時に吸収体１３の左右両側縁部に沿って起立し、排出された体液の横漏れを防止するための部材である。一対のサイドシート１５の外側端縁部には、カバーシート１１の一対の切欠き部１１Ｎと同様の形状に切欠き部１５Ｎが形成されている。一対のサイドシート１５のそれぞれには、その内側端縁部を吸収体１３側に折り返して把持させる形で立体ギャザー伸縮材としての糸ゴム１９が伸張状態で配置される。一対のサイドシート１５は、糸ゴム１９が収縮した際に、着用者の肌当接方向に向かって立ち上がる。立体ギャザーは従来の使い捨ておむつに用いられている公知の構成を採用することができる。例えば、撥水性シートの層間に伸張状態の立体ギャザー伸縮材を挟み込んで固定することにより、形成することができる。
【００２５】
＜コアラップシートの配置構成＞  
図４は本発明の一実施形態に係る、吸収体１３をトップシート１４側から見た平面図である。また、図５は、図３におけるＶ−Ｖ方向断面図である。
【００２６】
本実施形態では、上述したように、吸収性コア１７の対向する幅方向の両側端部において上層コアラップシート１８ａを肌非当接面側に折り返し、当該折り返し部分が吸収性コア１７の肌非当接面側と接合しており、下層コアラップシート１８ｂは、折り返し部分において上層コアラップシート１８ａよりも肌非当接面側に設けられている（図５を参照）。
【００２７】
下層コアラップシート１８ｂは、図４および図５に示すように、上層コアラップシート１８ａを覆うように配置され、吸収性コア１７の対向する幅方向の両側端部において下層コアラップシート１８ｂを肌当接面側に折り返し、当該折り返し部分が上層コアラップシート１８ａの肌当接面側と接合することで接合部２０が形成されている。接合部２０は、図４に示すように、長手方向において間欠的に配置されている。この接合部２０の構成により、粉状のＳＡＰが外部に漏れないようにしたり、吸収性コアの型崩れを抑制したりするコアラップ本来の機能に加えて、複数の接合部２０の間に排出された体液を通し、上層コアラップシート１８ａの折り返し部分を介して吸収性コア１７の肌非当接面側に誘導して吸収させることが可能となっている。
【００２８】
図４および図５中、Ｌａは上層コアラップシート１８ａの幅方向両端の長さ、Ｌａ１は上層コアラップシート１８ａ左側の幅方向端部から上層コアラップシート１８ａ左側の折り返し部分の端部までの長さ、Ｌａ２は上層コアラップシート１８ａ右側の幅方向端部から上層コアラップシート１８ａ右側の折り返し部分の端部までの長さ、をそれぞれ表す。
また、図５中、Ｌｂは下層コアラップシート１８ｂの幅方向両端の長さ（吸収体１３の幅方向の長さ）、Ｌｂ１は下層コアラップシート１８ｂ左側の幅方向端部から下層コアラップシート１８ｂ左側の折り返し部分の端部までの長さ、Ｌｂ２は下層コアラップシート１８ｂ右側の幅方向端部から下層コアラップシート１８ｂ右側の折り返し部分の端部までの長さ、をそれぞれ表す。本発明の効果を発揮するにあたって、長さＬａ、Ｌａ１、およびＬａ２の好適な範囲は、長さＬａが80ｍｍから150ｍｍ、長さＬａ１およびＬａ２が10ｍｍから80ｍｍである。また、本発明の効果を発揮するにあたって、長さＬｂ、Ｌｂ１、およびＬｂ２の好適な範囲は、長さＬｂが80ｍｍから150ｍｍ、長さＬｂ１およびＬｂ２が5ｍｍから50ｍｍである。なお、本実施形態では、長さＬａ１とＬａ２は等しくなっており、長さＬｂ１とＬｂ２は等しくなっているが、本発明においてはこの限りではなく、互いに異なっても良い。また、本発明の効果を発揮するにあたって、接合部２０の長さ、幅、配置間隔の好適な範囲は、長さが1ｍｍから10ｍｍ、幅が5ｍｍから50ｍｍ、配置間隔が2ｍｍから50ｍｍである。
【００２９】
従来、コアラップシートは、粉状のＳＡＰが外部に漏れないようにしたり、吸収性コアの型崩れを抑制したりする機能を有する一方、さらなる機能をコアラップシートに付加しようとする試みが進められており、例えば、特許文献１には、吸収性コアを挟む上層コアラップシートおよび下層コアラップシートについて、上層コアラップシートを親水性、下層コアラップシートを疎水性にすることによって、コアラップシートの肌非当接面側の液止め効果を図った吸収性物品が開示されている。
【００３０】
しかしながら、特許文献１に記載の吸収性物品では、上層コアラップシートを浸透してきた体液を、吸収性コアの肌非当接面側にうまく誘導することができない可能性があるため、吸収性コア全体を使用した効率のよい吸収が実現できないおそれがあった。
【００３１】
本実施形態によれば、上層コアラップシート１８ａに浸透してきた体液を、上層コアラップシート１８ａの当該折り返した部分を介して、吸収性コア１７の肌非当接面側に誘導させることができるので、吸収性コア１７全体を使用した効率のよい吸収を実現することが可能となり、ひいては、おむつ１０内部から肌当接面側への体液の戻りや、おむつ１０外部への体液の漏れを抑制することが可能となる。
【００３２】
＜第２実施形態＞  
本発明の第２実施形態は、第１実施形態と異なり、複数の接合部２０を吸収体１３の中心に向かうように配列し、第１実施形態よりも、体液を吸収性コア１７の肌非当接側へ誘導しやすくしている。
【００３３】
図６は、本実施形態に係る、吸収体をトップシート側から見た平面図である。本実施形態に係る吸収性物品を構成する各要素のうち、同様の機能を有するものについては、第１実施形態と同一の符号を付してその説明を省略する。
【００３４】
本実施形態に係る複数の接合部２０は、図６に示すように、細長い形状をそれぞれ呈しており、コアラップシート１８には、複数の細長い形状がその先端が吸収体１３の中心に向かうように斜めに配置される、第１パターンが形成されている。当該第１パターンは、図６に示すように、吸収体１３の長手方向に延びる第１中心線ＣＬ１に対して線対称となっている。さらに、当該複数の細長い形状は、図６に示すように、第１中心線ＣＬ１および幅方向に延びる第２中心線ＣＬ２によって区画された４つの領域Ｑ１からＱ４において、それぞれ互いに平行に配置されている。なお、本実施形態では、当該第１パターンは、吸収体１３の幅方向に延びる第２中心線ＣＬ２に対して線対称となっていないが、本発明では、第１パターンは、吸収体１３の幅方向に延びる第２中心線ＣＬ２に対して線対称となっていてもよい。
【００３５】
本実施形態によれば、第１実施形態と同様に、吸収性コア１７全体を使用した効率のよい吸収を実現することが可能となり、ひいては、おむつ１０内部から肌当接面側への体液の戻りや、おむつ１０外部への体液の漏れを抑制することが可能となる。また、本実施形態によれば、複数の接合部２０が、排出される体液の拡散される方向に沿って配置されているので、体液が複数の接合部２０の間を通りやすくなる結果、第１実施形態よりも、体液を吸収性コア１７の肌非当接面側に誘導させることができ、吸収効率を向上させることができる。
【００３６】
＜第３実施形態＞  
本発明の第３実施形態は、第１実施形態と異なり、複数の接合部２０の形状を細長の略二等辺三角形にして、その三角形の頂点を第１中心線ＣＬ１に向かうように配置することで、体液が入り込む開口となる、複数の接合部２０の先端の間隔が広くなり、第１実施形態よりも、体液を吸収性コア１７の肌非当接側へ誘導しやすくしている。
【００３７】
図７は、本実施形態に係る、吸収体をトップシート側から見た平面図である。本実施形態に係る吸収性物品を構成する各要素のうち、同様の機能を有するものについては、第１実施形態と同一の符号を付してその説明を省略する。
【００３８】
本発明に係る複数の接合部２０は、図７に示すように、２つの斜辺が底辺より長い細長の略二等辺三角形の形状をそれぞれ呈している。また、コアラップシート１８には、当該三角形の頂点が吸収体１３の長手方向に延びる第１中心線ＣＬ１に向かって配置されている。コアラップシート１８には、複数の接合部２０が吸収体１３の長手方向において等間隔で配置されている第２パターンが形成されている。当該第２パターンは、第１中心線ＣＬ１に対して線対称となっている。
【００３９】
本実施形態によれば、第１実施形態と同様に、吸収性コア１７全体を使用した効率のよい吸収を実現することが可能となり、ひいては、おむつ１０内部から肌当接面側への体液の戻りや、おむつ１０外部への体液の漏れを抑制することが可能となる。また、本実施形態によれば、体液の入り口となる、複数の接合部２０の先端の間隔が広くなっているため、体液が複数の接合部２０の間を通りやすくなる結果、第１実施形態よりも、体液を吸収性コア１７の肌非当接面側に誘導させることができるので、吸収効率を向上させることができる。
【００４０】
＜その他＞  
本発明は、上述した各実施形態や、随所に述べた変形例に限られることなく、本発明の技術的思想から逸脱しない範囲で、適宜の変更や変形が可能である。
【００４１】
例えば、上記各実施形態またはその変形例に係るおむつの構造は、上述したような展開型に限定されるわけではなく、特許請求の範囲に規定された吸収性物品の構成を含むおむつでありさえすれば、どのような構成であってもよい。例えば、パンツ型の使い捨ておむつや、尿パッド等であっても本発明を適用可能である。
【００４２】
加えて、上記各実施形態またはその変形例は、乳幼児向けのおむつに限らず、成人向けのおむつ、尿パッドなど、各種吸収性物品に適用可能である。
【００４３】
また、接合部の形状は、上記各実施形態またはその変形例において説明した形状に限られず、本発明の効果を奏する限り、本発明では、様々な形状が接合部の形状として採用可能である。
【符号の説明】
【００４４】
Ｌａ  上層コアラップシートの幅方向両端の長さ
Ｌａ１  上層コアラップシート左側の幅方向端部から上層コアラップシート左側の折り返し部分の端部までの長さ
Ｌａ２  上層コアラップシート右側の幅方向端部から上層コアラップシート右側の折り返し部分の端部までの長さ
Ｌｂ  下層コアラップシートの幅方向両端の長さ（吸収体の幅方向の長さ）
Ｌｂ１  下層コアラップシート左側の幅方向端部から下層コアラップシート左側の折り返し部分の端部までの長さ
Ｌｂ２  下層コアラップシート右側の幅方向端部から下層コアラップシート右側の折り返し部分の端部までの長さ
Ｍ１  後身頃部分
Ｍ２  股下部分
Ｍ３  前身頃部分
１０  おむつ
１０Ａ  ファスニングテープ
１０Ｂ  フロントパッチシート
１０Ｆ  前身頃領域
１０Ｒ  後身頃領域
１０Ｃ  股下領域
１０Ｗ  ウエスト周り開口部
１０Ｌ  脚周り開口部
１１  カバーシート
１１Ｎ、１５Ｎ、１７Ｎ  切欠き部
１２  バックシート（裏面シート）
１３  吸収体
１４  トップシート（表面シート）
１５  サイドシート
１６、１９  糸ゴム
１７  吸収性コア
１８  コアラップシート
１８ａ  上層コアラップシート
１８ｂ  下層コアラップシート
２０  接合部
【図１】
2019165886.tif 000003
【図２】
2019165886.tif 000004
【図３】
2019165886.tif 000005
【図４】
2019165886.tif 000006
【図５】
2019165886.tif 000007
【図６】
2019165886.tif 000008
【図７】
2019165886.tif 000009